(57)【要約】  【課題】  ワンタッチのスイッチ操作のみで設定された時間ウィンカーを駆動して停止させる車両のウィンカー制御装置を提供する。  【解決手段】  ウィンカーレバー１１を右接点１２或いは左接点１３に短時間、接触させてパルス信号を発生させる。タイマー回路３がそのパルス信号を受けて、出力回路２に車速センサー４からの車速の検出信号に応じた設定時間の分だけ第一の信号が出される。この第一の信号が出されている間、出力回路２がフラッシャー制御回路６に第二の信号を出力して、ウィンカー８を点滅させ、第一の信号が出されなくなったらウィンカー８の点滅を停止させる。【選択図】図１
2008105674.tif 000002
【特許請求の範囲】
【請求項１】
第１の作動スイッチを備えた車両の既設のウィンカー制御装置に加えて、ウィンカーを駆動する電力ユニットに接続され、
第２の作動スイッチを備えており、
上記第２の作動スイッチは、操作されることによりパルス信号を発し、
上記第２の作動スイッチがパルス信号を発したときに、該パルス信号を受けて設定された時間の間第一の信号を出力する出力時間設定手段と、
上記第一の信号を受けている間は上記電力ユニットに第二の信号を出力してウィンカーを作動させる信号出力手段と、を備えていることを特徴とする車両のウィンカー制御装置。
【請求項２】
請求項１において、
上記第２の作動スイッチは、ステアリングホイールに取り付けられたレバースイッチであることを特徴とする車両のウィンカー制御装置。
【請求項３】
請求項１または２において、
上記パルス信号は右折と左折の２種類存しており、一方の種類の上記パルス信号により上記第一の信号が出力されている間に他方の種類のパルス信号を上記出力時間設定手段が受けると、該出力時間設定手段は上記第一の信号の出力を停止することを特徴とする車両のウィンカー制御装置。
【請求項４】
請求項１から３のいずれか一つにおいて、
出力時間設定手段は、車両に設けられた該車両の車速検出手段に接続されて、該車速検出手段の検出信号を受けて、車速に応じて第一の信号を出力する設定時間を変更することを特徴とする車両のウィンカー制御装置。
【発明の詳細な説明】
【技術分野】
【０００１】
本発明は、車両のウィンカー制御装置に関する。
【背景技術】
【０００２】
自動車のウィンカーは、ターンシグナルランプとも呼ばれ、右左折時に点滅して周りにその動きを予め知らせるための方向指示灯である。ウィンカーはまた、車線変更時にも使用される。このウィンカーのスイッチは、通常ステアリングホイールの車両前方側に水平に突き出したレバーとして取り付けられていて、そのレバーを軽く上或いは下に押すと半押し状態（以下、半押しという）となってウィンカーは点滅し、さらに強く押すとレバーから手を離してもスイッチがＯＮになったまま（以下、全押しという）で、ウィンカーは点滅し続ける。即ち、半押しでスイッチの接点が接触し、全押しでその接触状態が固定保持される。半押し状態から手を離すとスイッチがＯＦＦになって、ウィンカーの点滅が停止する。一方、全押し状態では、スイッチをＯＦＦにするためにはレバーを反対方向に押すか、ステアリングホイールをウィンカーが点滅している側に所定の角度以上回してから戻す必要がある。右左折時には、後者のようにステアリングホイールを回すだけで全押し状態からウィンカーのスイッチがＯＦＦとなるが、車線変更のときには、ステアリングホイールの回し角度が小さいので、全押しでスイッチＯＮとしたら、スイッチをＯＦＦにするには前者のように再度レバーを反対側に押す必要があり、もう一つの方法としては半押し状態のままで手でレバーを押さえておいて車線変更が終わったら手を離すということが行われている。
【発明の開示】
【発明が解決しようとする課題】
【０００３】
しかしながら、高速道路において追い越し等をするときに、上記のようにウィンカーのスイッチを全押しにして短時間点滅させた後、再度レバーを押してＯＦＦにする、または半押しに保ったまま追い越し等をするのは安全面から見ると好ましくない。即ち、高速道路において、このようにステアリングホイールから２回手を離してスイッチを押す、または手を離してレバーを押し続けるというのは、片手でステアリングホイールを扱う操作であり、ステアリング操作を誤る可能性があるため改善の余地がある。
【０００４】
本発明はこのような事情に鑑みてなされたものであり、その目的とするところは、ワンタッチのスイッチ操作のみで設定された時間ウィンカーを駆動して停止させる車両のウィンカー制御装置を提供することにある。
【課題を解決するための手段】
【０００５】
上記の目的を達成するために、スイッチからのパルス信号によりウィンカーを一定時間だけ駆動させるように制御することにした。
【０００６】
具体的には、請求項１の発明は、ウィンカーの作動スイッチとウィンカーを駆動する電力ユニットとに接続された車両のウィンカー制御装置を対象とする。
【０００７】
そして、上記作動スイッチがパルス信号を発したときに、該パルス信号を受けて設定された時間の間第一の信号を出力する出力時間設定手段と、上記第一の信号を受けている間は上記電力ユニットに第二の信号を出力してウィンカーを作動させる信号出力手段と、を備えているものとする。
【０００８】
請求項１の構成であれば、自動車の運転者は作動スイッチをワンタッチするだけで、設定された時間だけウィンカーを点滅させることができ、ウィンカー点滅を停止させるためのスイッチ操作をする必要がない。このように作動スイッチをワンタッチすることで、パルス信号が発せられる。作動スイッチとしては、例えば、ウィンカーのスイッチであるレバーをそのまま用いれば、そのレバーを一度、短時間半押しすることによりパルス信号が発せられるので、ウィンカー点滅中にレバーを押し続けたり、点滅停止のために再度レバーを押す操作が不要となり、運転中の、特に高速運転中の操作の安全性が高まる。ここで、設定された時間とは、例えば、車線変更のためにウィンカーを点滅させておく時間であって、１〜３秒間ぐらいである。なお、レバーを全押しにして連続的な信号が入力されたときには、設定された時間だけではなく信号が継続している間はウィンカーが点滅し続けるよう、信号は電力ユニットを作動させる。
【０００９】
出力時間設定手段は、例えば、タイマー或いはタイマーの機能を備えた電子素子や回路等を挙げることができる。信号出力手段は、例えば、信号出力回路を挙げることができ、また、出力時間設定手段と信号出力手段とを一つの電子素子としたり一つの回路としても構わない。
【００１０】
また、本発明の装置は簡単な装置であって、既存の自動車設備にこの装置を容易に後付けできる。
【００１１】
次に、請求項２の発明は、請求項１において、出力時間設定手段は、車両に設けられた該車両の車速検出手段に接続されていて、該車速検出手段の検出信号を受けて、車速に応じて第一の信号を出力する設定時間を変更するものとする。
【００１２】
請求項２の構成であれば、車速に応じて最適なウィンカーの点滅時間を選択して、ウィンカーを駆動できるため、その車の運転者やウィンカー信号を見ることとなる周りの車の運転者は、快適に運転することができる。車速の検出信号は既設の車速検出手段である車速センサーより受けることになる。ウィンカーの点滅時間は、車速が大きくなるほど短くなるのが好ましい。
【発明の効果】
【００１３】
本発明は、以上説明したような形態で実施され、以下に述べる効果を奏する。
【００１４】
作動スイッチからパルス信号を受けて、設定された時間だけウィンカーを点滅させるので、ワンタッチ操作で車線変更のウィンカー操作ができ、運転操作を安全に行うことができる。出力時間設定手段と信号出力手段とから構成された簡単な装置であるので、既存の設備に容易に後付けできる。
【発明を実施するための最良の形態】
【００１５】
以下、本発明の実施の形態を図面に基づいて説明する。
【００１６】
（第一の実施の形態）
第一の実施形態のウィンカー装置の構成（図１参照）は、従来のウィンカー装置の構成（図４参照）に制御装置１及び車速センサー４が加えられたものである。従来の構成では、図４に示すように、作動スイッチ５であるウィンカーレバー１１を押して右接点１２或いは左接点１３に接触させると、電源７に接続されたフラッシャー制御回路６に信号が入力し、フラッシャー制御回路６が右或いは左のウィンカー８を駆動し点滅させる。ここで電源７とフラッシャー制御回路６とが電力ユニットに当たる。一方、本実施形態の制御装置１は、作動スイッチ５からパルス信号が入ってきたときに作動する。制御装置１は、タイマー回路（出力時間設定手段）３と出力回路（信号出力手段）２とからなり、タイマー回路３は外部の車速センサー４と接続しており、車速の検出信号を受けている。
【００１７】
上記パルス信号は、ウィンカーレバー１１を一度、短時間半押しにすることにより発せられる。即ち、ウィンカーレバー１１を手で軽く押して右接点１２或いは左接点１３にごく短時間接触させ、すぐに手を離すことでパルス信号が発せられる。このようなパルス信号は、通常０．５秒以下の信号長さを有している。このパルス信号がタイマー回路３に入力すると、車速の検出信号に応じて予め設定された出力時間の分だけ出力回路２に第一の信号が出される。この第一の信号が出されている間、出力回路２がフラッシャー制御回路６に第二の信号を出力してウィンカー８を点滅させる。
【００１８】
車速に応じたウィンカーの点滅時間は、例えば６０ｋｍ／ｈ未満のときは３秒、６０〜８０ｋｍ／ｈのときは２．５秒、８０〜１００ｋｍ／ｈのときは２秒、１００ｋｍ／ｈよりも速いときは１．５秒のように、高速になるほど短時間とすれば、周囲の車両に車線変更の意思表示を円滑に行うことができ、周囲の車両の運転者も車速に応じた適当な点滅時間であるため心地よく感じられる。
【００１９】
また、パルス信号を送ってウィンカー８が点滅している途中に、事情により点滅を停止したいときには、ウィンカーレバー１１を点滅しているのとは反対側に半押しにして逆方向のパルス信号を送ると、タイマー回路３がキャンセル信号として受け取ってウィンカー８の点滅を途中で停止させる。
【００２０】
また、ウィンカーレバー１１を全押しにして連続的に信号が入力してきたときには、タイマー回路３は第一の信号を出すことをせず、この信号はフラッシャー制御回路６に入力して、信号が継続している間ウィンカー８を点滅させる。
【００２１】
本実施形態のウィンカーの制御装置１によれば、ウィンカーレバー１１を一度、短時間半押しにするだけで、設定された時間だけウィンカー８が点滅するので、ステアリングホイールから手を一度だけ短時間離す操作だけで済み、高速時の片手運転という安全面で好ましくない状態を最小限にすることができる。また、車速に応じた適当な点滅時間を設定しているので、快適に運転できる。また、このようなウィンカー制御ができるようにするためには、既存のウィンカー装置にタイマー回路３と出力回路２とからなる簡単な構成の制御装置１を取り付けるだけなので、容易に後付ができる。
【００２２】
（第二の実施の形態）
第二の実施の形態は、図２に示すように、制御装置１に専用の作動スイッチ９が接続されている。なお、制御装置１の作動スイッチ９以外の部分は第一の実施形態と同じであるので、説明を省略する。作動スイッチ５が第１の作動スイッチであり、作動スイッチ９が第２の作動スイッチである。
【００２３】
この作動スイッチ９は、例えばレバースイッチ１４であって、右接点１５或いは左接点１６に接触した後に自動的に中立の状態に戻るスイッチであり、右或いは左を示すパルス信号を発生する。このスイッチ９は、ステアリングホイールから手を離さなくても操作できるように、ステアリングホイールに取り付けられている。本実施形態では、パルス信号は第一の実施形態よりも時間的に長い信号、例えば１秒の信号であっても構わない。また、本実施形態でも、パルス信号を送ってウィンカー８が点滅している途中に、事情により点滅を停止したいときには、レバースイッチ１４を点滅しているのとは反対側に押して逆方向のパルス信号を送ると、タイマー回路３がキャンセル信号として受け取ってウィンカー８の点滅を途中で停止させる。
【００２４】
本実施形態のウィンカーの制御装置１によれば、専用の作動スイッチ９をステアリングホイールに備えているので、手をステアリングホイールから離さずに操作でき、運転時の安全性がより高くなる。他の作用効果については、第一の実施形態と同様である。
【００２５】
（第三の実施の形態）
第三の実施の形態は、図３に示すように、第一の実施形態と同じ制御装置１が本制御装置１専用のフラッシャー制御回路１７を備えている。このフラッシャー制御回路１７の電源７は、通常のウィンカーの制御用の電源７を共用している。この専用のフラッシャー制御回路１７と制御装置１とをセットで自動車に取り付けることで、通常のウィンカー制御装置を流用することなく、本発明のウィンカー制御を行うことができる。他の作用効果については、第一の実施形態と同様である。
【００２６】
（他の実施の形態）
これまで説明した実施の形態は、本発明の例示のとおりであり本発明はこれらの実施形態に限定されない。例えばタイマー回路３と出力回路２とを一つのＭＰＵとしても良いし、さらに最初からフラッシャー制御回路６に制御装置１を組み込んでおいてもよい。また、車速センサー４とタイマー回路３とを接続せず、車速に応じて点滅時間を変えなくても良い。専用の作動スイッチ９は、押しボタン式スイッチでもどのようなスイッチでも良く、また、その設置場所もステアリングホイールの近辺であればよい。専用の作動スイッチ９の操作時に、ステアリングホイールから手が離れるような位置に作動スイッチ９を取り付けても構わない。ウィンカーの点滅時間の設定も、特に限定されない。
【図面の簡単な説明】
【００２７】
【図１】第一の実施形態の概略構成を示すブロック図である。
【図２】第二の実施形態の概略構成を示すブロック図である。
【図３】第三の実施形態の概略構成を示すブロック図である。
【図４】従来のウィンカー制御装置の概略構成を示すブロック図である。
【符号の説明】
【００２８】
１          制御装置
２          出力回路（信号出力手段）
３          タイマー回路（出力時間設定手段）
４          車速センサー（車速検出手段）
５，９      作動スイッチ
６，１７    フラッシャー制御回路（電力ユニット）
８          ウィンカー
【図１】
2008105674.tif 000003
【図２】
2008105674.tif 000004
【図３】
2008105674.tif 000005
【図４】
2008105674.tif 000006